(57)【要約】      （修正有）【課題】ネック、耳及びヘッド等に寒い冬等に冷気から守るために保温を加みしたネック巻兼用ヘッドキャップを提供する。【解決手段】ネック巻兼用ヘッドキャップ本体を、アクリル繊維系と遠赤外線放射繊維系との温紡による編物で円筒形状に形成され、該円筒形状には、表面地と裏面地とによって二重に構成される。また、該円筒形状は、縦方向の一端部を長辺とし、他端部を短辺とすると共に、裏面地の所定位置にポケットを縫着し、内部に使い捨てカイロを収納できるようにしたことを特徴としている。【選択図】なし【実用新案登録請求の範囲】
【請求項１】
ネック巻兼用ヘッドキャップ本体（１）は、アクリル繊維系と遠赤外線放射された遠赤外線繊維系を以って伸縮性の円筒形状（４）に編物され、該円筒形状（４）は、表面地（２）と裏面地（３）とより二重に編物し、且つ該円筒形状（４）には、縦方向の一端部を長辺（５）とし、他端部を短辺（６）としたことを特徴としたネック巻兼用ヘッドキャップ。
【請求項２】
請求項１における該裏面地（３）の所定位置にポケット（７）を縫着部（８）によって縫着し、該ポケット（７）の挿入部（９）には、使い捨てカイロを挿入できるようにしたことを特徴とする請求項１のネック巻兼用ヘッドキャップ。
【請求項３】
請求項１における二重に編物された円筒形状（４）の表面地（２）と裏面地（３）との染色を各々別色に染色したものを使用したことを特徴とする請求項１のネック巻兼用ヘッドキャップ。
【考案の詳細な説明】
【技術分野】
【０００１】  本考案は、ネック、耳及びヘッド等を寒い冬に冷気から守るためと、保温を加みし、お洒落としても使用できる伸縮性のネック巻兼用ヘッドキャップに関するものである。
【背景技術】
【０００２】  従来この種のネック巻兼用ヘッドキャップは、その構成技術としてアクリル繊維を以って編成したものが一般的に使用されている。
また、従来のものは、ネック、ヘッドに巻いたり、被ったりして使用する場合には、更に保温性を加えて寒い冬を暖かくすると云うものは散見されていない現状である。
【考案の開示】
【考案が解決しよとうする課題】
【０００３】  従来のネック巻及びヘッドキャップにおけるアクリル繊維製のものでは、寒い冬を暖かくするには、肉厚の織物が必要となる問題点がある。また、ネック、ヘッド及び耳等を特別に加温保護する場合が生じても何等手段を施すことができない問題点もある。
本考案は、上記の問題点を解決するための目的とする所は、アクリル繊維系と遠赤外線繊維系との混紡系によって製造し、ネック巻とヘッドキャップ本体を著しく保温性を高いものとすると共に、表面地と裏面地の二重とした裏面地側にカイロ等を収納するポケットを装着したことによって優れた保温性を確保するネック巻兼用ヘッドキャップを提供しようとするものである。
【課題を解決するための手段】
【０００４】  上記目的を達成するために、本考案のネック巻兼用ヘッドキャップ本体は、アクリル繊維と遠赤外線放射された遠赤外線繊維とを以って円筒形状に編物し、該円筒形状は、表面地と裏面地とより二重に編物され、且つ該円筒形状の縦方向の一端部を長辺とし他端部を短辺とした構成とする。
また、該円筒形状の該裏面地には、所定位置に縫着部によってポケットを縫着し、該ポケットの挿入部には、使い捨てカイロ等を挿入できるようにしたものである。
さらに、二重に編物された円筒形状の表面地と裏面地とを各々別色の染色に着色してなるものである。
【考案の効果】
【０００５】  本考案のネック巻兼用ヘッドキャップによれば、ネック、ヘッドに使用した場合には、従来のこの種のものと比較して、著しく保温が高く、且つ寒い冬に対しても暖かく保護できる効果と、ネック又はヘッドの何れにも自由自在に使用できる効果もある。そして、ネック巻兼用ヘッドキャップ本体をアクリル繊維系と遠赤外線繊維系とを以って伸縮性のある円筒形状に編物したので、特に保温性及び静電気抑制、消臭性に優れる効果がある。該円筒形状には、表面地と裏面地との二重の編物とすると共に、縦方向の一端部を長辺とし他端部を短辺としたことにより、二重としたので保温と強靭の効果を達成する効果と、一端部を長辺としたので、ネック巻の場合には、ネックの全体を覆うと共に顎まで覆うと云う効果がある。またヘッドキャップとして使用した場合は、ヘッドを広く覆うと共に耳の部分も覆って保温できる効果がある。
【０００６】  更に、円筒形状の裏面地の所定位置にポケットを縫着したことにより、使い捨てカイロが容易に出し入れができ、ネック後方の保温をすることによって、健康及び治療にも大変に役立つと云う効果がある。
また、二重に編物された円筒形状の表面地と裏面地とを各々別色の色柄に着色することによって、自由に表裏の色彩を選定して美しく使用できる効果もある。
【考案を実施するための最良の形態】
【０００７】  次に、本考案のネック巻兼用ヘッドキャップの用法を図面について説明すると、図１に示すネック巻兼用ヘッドキャップ本体（１）を図４に示すネック巻にする場合には、ヘッドから被って長辺（５）をネックの前方に位置すると、喉の前方まで覆って保温する。また、図５に示すヘッドに被る場合は、長辺（５）をヘッド上に位置すれば、広い範囲のヘッドを覆って暖かくすると共に、髪を整えて使用できる。
また、ネックの後部等を暖かくする場合には、図３に示す裏面地（３）に設けたポケット（７）に使い捨てカイロを収納して使用すれば最良となる。
【実施例】
【０００８】  次に、図１に示すものは、ネック巻兼用ヘッドキャップ本体（１）は、アクリル繊維系と、遠赤外線放射された遠赤外線繊維系との所定の混紡系を以って伸縮性の円筒形状（４）に編物されている。該円筒形状（４）は、表面地（２）と裏面地（３）とより二重に編物してある。また、該円筒形状（４）には、図１に示す如く縦方向の一端部を長辺（５）とし、他端部を該長辺（５）より寸法の短い短辺（６）としたものである。
更に、該表面地（２）と該裏面地（３）との各々の染色を同一の染色又は異なる染色に着色するものである。【０００９】  また、図２、図３に示す如く、該ネック巻兼用ヘッドキャップ本体（１）における該裏面地（３）の所定位置に同色柄等よりなる使い捨てカイロが収納できる各種形状の袋状のポケット（７）を縫着部（８）（８）を以って縫着してある。符号（９）は、ポケット（７）の挿入部を示し、（１０）は被着者を示したものである。
【図面の簡単な説明】
【００１０】
【図１】本考案のネック巻兼用ヘッドキャップ本体の一部開示した全体斜面図である。
【図２】同じく本考案の図１のＡ−Ａ線の縦断側面図である。
【図３】本考案の裏面地側を開示した正面図である。
【図４】同じく本考案を着用者にネック巻した一部開示した正面図である。
【図５】本考案を着用者のヘッドに被った正面図である。
【符号の説明】
【００１１】１          ネック巻兼用ヘッドキャップ本体
２          表面地
３          裏面地
４          円筒形状
５          長辺
６          短辺
７          ポケット
８          縫着部
９          挿入部
１０        被着者
【図１】
0003105639.tif 000002
【図２】
0003105639.tif 000003
【図３】
0003105639.tif 000004
【図４】
0003105639.tif 000005
【図５】
0003105639.tif 000006